【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
プラントの異常予兆を検知する異常予兆検知システムの制御装置であって、
前記プラントにおける正常時の運転データ群および異常時の運転データ群を含む運転データを取得する取得部と、
前記プラントの状態を検知する検知パラメータの候補値である複数の候補パラメータ値を導出する導出部と、
複数の前記候補パラメータ値の各々を用いて、前記運転データにおける異常検知回数、および、異常の予兆を検知してから実際に異常が発生するまでの期間である早期検知期間を評価パラメータとして算出する算出部と、
前記運転データにおいて、前記評価パラメータである前記異常検知回数が所定の数より少なく、かつ、前記早期検知期間が所定の期間より長い前記候補パラメータ値を、前記プラントの前記検知パラメータの推奨候補として抽出する抽出部と
を備え、
前記検知パラメータは、マハラノビス距離に基づく値である異常予兆検知システムの制御装置。
【請求項２】
前記取得部は、前記運転データのうち、正常時の前記運転データ群を正常データセットとして、異常時の前記運転データ群を異常データセットとしてセットし、
前記算出部は、前記正常データセットの前記候補パラメータ値および前記異常データセットの前記候補パラメータ値を用いて各前記評価パラメータを算出し、
前記抽出部は、前記正常データセット及び前記異常データセットの各前記評価パラメータに基づき前記検知パラメータの前記推奨候補を取得する請求項１に記載の異常予兆検知システムの制御装置。
【請求項３】
前記算出部は、前記プラントにおいて実際に異常が発生した時間を異常発生時間に設定し、
前記異常データセットに対する前記評価パラメータは、前記異常データセットに対する前記異常発生時間までの前記異常検知回数、及び、異常の予兆を検知してから実際に異常が発生した前記異常発生時間までの期間である前記早期検知期間であり、
前記正常データセットに対する前記評価パラメータは、前記正常データセットに対する前記異常発生時間までの前記異常検知回数である請求項２に記載の異常予兆検知システムの制御装置。
【請求項４】
前記導出部は、設定された前記検知パラメータの探索範囲及び探索ステップに基づき前記候補パラメータ値を導出する請求項３に記載の異常予兆検知システムの制御装置。
【請求項５】
前記検知パラメータは、正常な前記候補パラメータ値と異常な前記候補パラメータ値との間の閾値を含む請求項４に記載の異常予兆検知システムの制御装置。
【請求項６】
請求項１乃至請求項５のいずれかに記載の異常予兆検知システムの制御装置を備えたプラント。
【請求項７】
プラントの異常予兆を検知する異常予兆検知システムの制御方法であって、
前記プラントにおける正常時の運転データ群および異常時の運転データ群を含む運転データを取得する工程と、
前記プラントの状態を検知する検知パラメータの候補値である複数の候補パラメータ値を導出する工程と、
複数の前記候補パラメータ値の各々を用いて、前記運転データにおける異常検知回数、および、異常の予兆を検知してから実際に異常が発生するまでの期間である早期検知期間を評価パラメータとして算出する工程と、
前記運転データにおいて、前記評価パラメータである前記異常検知回数が所定の数より少なく、かつ、前記早期検知期間が所定の期間より長い前記候補パラメータ値を、前記プラントの前記検知パラメータの推奨候補として抽出する工程と
を有し、
前記検知パラメータは、マハラノビス距離に基づく値である異常予兆検知システムの制御方法。
【請求項８】
プラントの異常予兆を検知する異常予兆検知システムの制御プログラムであって、
前記プラントにおける正常時の運転データ群および異常時の運転データ群を含む運転データを取得するステップと、
前記プラントの状態を検知する検知パラメータの候補値である複数の候補パラメータ値を導出するステップと、
複数の前記候補パラメータ値の各々を用いて、前記運転データにおける異常検知回数、および、異常の予兆を検知してから実際に異常が発生するまでの期間である早期検知期間を評価パラメータとして算出するステップと、
前記運転データにおいて、前記評価パラメータである前記異常検知回数が所定の数より少なく、かつ、前記早期検知期間が所定の期間より長い前記候補パラメータ値を、前記プラントの前記検知パラメータの推奨候補として抽出するステップと
を有し、
前記検知パラメータは、マハラノビス距離に基づく値である異常予兆検知システムの制御プログラム。
【手続補正２】
【補正対象書類名】明細書
【補正対象項目名】０００６
【補正方法】変更
【補正の内容】
【０００６】
上記課題を解決するために、本開示の異常予兆検知システムの制御装置、これを備えるプラント、及び異常予兆検知システムの制御方法並びに制御プログラムは以下の手段を採用する。
本開示の幾つかの実施形態における一態様に係る異常予兆検知システムの制御装置は、プラントの異常予兆を検知する異常予兆検知システムの制御装置であって、前記プラントにおける正常時の運転データ群および異常時の運転データ群を含む運転データを取得する取得部と、前記プラントの状態を検知する検知パラメータの候補値である複数の候補パラメータ値を導出する導出部と、複数の前記候補パラメータ値の各々を用いて、前記運転データにおける異常検知回数、および、異常の予兆を検知してから実際に異常が発生するまでの期間である早期検知期間を評価パラメータとして算出する算出部と、前記運転データにおいて、前記評価パラメータである前記異常検知回数が所定の数より少なく、かつ、前記早期検知期間が所定の期間より長い前記候補パラメータ値を、前記プラントの前記検知パラメータの推奨候補として抽出する抽出部とを備え、前記検知パラメータは、マハラノビス距離に基づく値である。
【手続補正３】
【補正対象書類名】明細書
【補正対象項目名】０００７
【補正方法】変更
【補正の内容】
【０００７】
本態様によれば、検知パラメータの候補値である候補パラメータ値を用いて、運転データにおける評価パラメータを算出し、評価パラメータに基づき検知パラメータの推奨候補を抽出することから、従来設計者が経験などに基づき値を設定していた検知パラメータを、制御装置により取得することができる。ここで、プラントにおける正常時とは、プラントに異常が発生しておらず、プラントが定常運転を行っている場合であるとする。
プラントの異常予兆を検知する異常予兆検知システムにおいて、検知モデルに用いられる検知パラメータの作成、評価は、設計者により試行錯誤で調整されており、多くの時間を要していた。本態様によれば、検知パラメータの作成、評価を制御装置が行い最適な検知パラメータを取得することで、異常予兆の検知に必要な検知パラメータの推奨候補を自動で導出することが可能である。またこれにより、検知モデルの作成に要する時間を大幅に短縮することが可能である。
また、本態様によれば、検知パラメータをマハラノビス距離に基づく値とすることから、ＭＴ法（マハラノビス・タグチ・メソッド）を用いてプラントの異常予兆の検知を行うことができる。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１９
【補正方法】変更
【補正の内容】
【００１９】
本開示の幾つかの実施形態における一態様に係る異常予兆検知システムの制御方法は、プラントの異常予兆を検知する異常予兆検知システムの制御方法であって、前記プラントにおける正常時の運転データ群および異常時の運転データ群を含む運転データを取得する工程と、前記プラントの状態を検知する検知パラメータの候補値である複数の候補パラメータ値を導出する工程と、複数の前記候補パラメータ値の各々を用いて、前記運転データにおける異常検知回数、および、異常の予兆を検知してから実際に異常が発生するまでの期間である早期検知期間を評価パラメータとして算出する工程と、前記運転データにおいて、前記評価パラメータである前記異常検知回数が所定の数より少なく、かつ、前記早期検知期間が所定の期間より長い前記候補パラメータ値を、前記プラントの前記検知パラメータの推奨候補として抽出する工程とを有し、前記検知パラメータは、マハラノビス距離に基づく値である。
【手続補正７】
【補正対象書類名】明細書
【補正対象項目名】００２０
【補正方法】変更
【補正の内容】
【００２０】
本開示の幾つかの実施形態における一態様に係る異常予兆検知システムの制御プログラムは、プラントの異常予兆を検知する異常予兆検知システムの制御プログラムであって、前記プラントにおける正常時の運転データ群および異常時の運転データ群を含む運転データを取得するステップと、前記プラントの状態を検知する検知パラメータの候補値である複数の候補パラメータ値を導出するステップと、複数の前記候補パラメータ値の各々を用いて、前記運転データにおける異常検知回数、および、異常の予兆を検知してから実際に異常が発生するまでの期間である早期検知期間を評価パラメータとして算出するステップと、前記運転データにおいて、前記評価パラメータである前記異常検知回数が所定の数より少なく、かつ、前記早期検知期間が所定の期間より長い前記候補パラメータ値を、前記プラントの前記検知パラメータの推奨候補として抽出するステップとを有し、前記検知パラメータは、マハラノビス距離に基づく値である。